(57)【要約】【課題】容器の底部に対して結露水によって経時的に貼り付きにくく、安価かつ軽量に製造できるコースターを提供する。【解決手段】基材５の表面５ａの少なくとも一部を覆って支持部１１を構成する複数のスパンコール６を、互いに隣接するもの同士の一部が重なり合うように配置する。支持部１１に支持した容器２の底部２ａに対して各スパンコール６が全面接触せず、僅かな空隙１５を介してそれぞれ部分接触するため、経時的に結露水が増加しても、容器２の底部２ａに対してコースター１が貼り付きにくくなる。容器２の底部２ａに貼り付きにくい特殊な素材等を支持部に用いる場合と比較して安価かつ軽量に製造でき、かつ、テーブル等にも吸着させないので容易に位置を変えることができ、使い勝手が良好である。【選択図】図１
2016174884.tif 000002
【特許請求の範囲】
【請求項１】
飲料用の容器の下敷きとなるコースターであって、
平面部を有する基材と、
この基材の平面部の少なくとも一部を覆ってこの基材に固定され、前記容器の底部を支持する支持部を構成する複数の薄板状の敷設部材とを備え、
互いに隣接する前記敷設部材同士の一部が重なり合うように配置されている
ことを特徴とするコースター。
【請求項２】
基材は、吸水性または保水性を有している
ことを特徴とする請求項１記載のコースター。
【請求項３】
敷設部材は、撥水性を有しているスパンコールである
ことを特徴とする請求項１または２記載のコースター。
【請求項４】
敷設部材は、基材に対して縫い付けられ、
前記基材の前記敷設部材と反対側を覆う被覆部材を備えている
ことを特徴とする請求項３記載のコースター。
【発明の詳細な説明】
【技術分野】
【０００１】  本発明は、飲料用の容器の下敷きとなるコースターに関する。
【背景技術】
【０００２】  従来、飲食店舗等においては、特に冷たい飲料を入れたコップ等の容器の底部に、結露水等の垂れを防止するための下敷きとなる薄板状のコースターが用いられる。【０００３】  このようなコースターは、時間経過により氷が溶けること等によって結露水が増加してくると、容器の底部に貼り付き、容器を持ち上げたときに一体的に持ち上げられてしまうことがある。そして、このようなコースターの持ち上げは、飲用の妨げになり、容器の底部から都度取り外す等の煩雑な作業が必要になる。また、容器と一体的に持ち上がったコースターが自重で落下して容器から剥がれ落ち、床に転がったりする等の不都合が生じる場合もある。【０００４】  そこで、吸水性に優れた素材によってコースター表面を覆うことで、結露水を吸収し、容器底部へのコースターの貼り付きを抑制したものが知られている（例えば、特許文献１及び２参照。）。
【先行技術文献】
【特許文献】
【０００５】
【特許文献１】特開２００９−２５４６７１号公報
【特許文献２】実用新案登録第３１７７４７５号公報
【発明の概要】
【発明が解決しようとする課題】
【０００６】  しかしながら、上記の特許文献１記載の構成では、紙や不織布が吸収可能な水分量に限界があり、特に薄板状に形成しているコースターの場合、その吸収可能な水分量が充分に確保できるとは言いがたい。そのため、経時的にコースターが水浸しとなり、容器底部への貼り付きを抑制できなくなる。【０００７】  また、上記の特許文献２記載の構成では、高吸水性の大谷石等の凝灰岩という特殊素材を用いることが必要となり、コスト高となるとともに、コースター自体も重く嵩張る。【０００８】  すなわち、結露水を吸収することによって容器底部へのコースターの貼り付きを防止する構成では、上述したような様々な課題が別途生じる。【０００９】  さらに、コースターの裏面をテーブル表面に吸着させることで容器底部へのコースターの貼り付きを防止することも考えられるものの、この場合には、コースターの位置を容易に変えることはできず、また、テーブル表面に凹凸がある場合には使用できないなど、使用可能な状況が限定されてしまう。【００１０】  本発明は、このような点に鑑みてなされたもので、容器の底部に対して結露水によって経時的に貼り付きにくく、安価かつ軽量に製造できて使い勝手が良好なコースターを提供することを目的とする。
【課題を解決するための手段】
【００１１】  請求項１記載のコースターは、飲料用の容器の下敷きとなるコースターであって、平面部を有する基材と、この基材の平面部の少なくとも一部を覆って前記容器の底部を支持する支持部を構成する複数の薄板状の敷設部材とを備え、互いに隣接する前記敷設部材同士の一部が重なり合うように配置されているものである。【００１２】  請求項２記載のコースターは、請求項１記載のコースターにおいて、基材が、吸水性または保水性を有しているものである。【００１３】  請求項３記載のコースターは、請求項１または２記載のコースターにおいて、敷設部材が、スパンコールであるものである。【００１４】  請求項４記載のコースターは、請求項３記載のコースターにおいて、敷設部材が、基材に対して縫い付けられ、前記基材の前記敷設部材と反対側を覆う被覆部材を備えているものである。
【発明の効果】
【００１５】  請求項１記載のコースターによれば、基材の平面部の少なくとも一部を覆って支持部を構成する複数の薄板状の敷設部材を、互いに隣接するもの同士の一部が重なり合うように配置することで、支持部に支持された容器の底部に対して各敷設部材が全面接触せず、僅かな空隙を介してそれぞれ部分接触するため、経時的に結露水が増加しても、容器の底部に対してコースターが貼り付きにくくなるとともに、容器の底部に貼り付きにくい特殊な素材等を支持部に用いる場合と比較して安価かつ軽量に製造でき、かつ、テーブル等にも吸着しないので容易に位置を変えることができ、使い勝手が良好である。【００１６】  請求項２記載のコースターによれば、請求項１記載の効果に加えて、基材が吸水性または保水性を有しているため、容器から垂れ落ちた結露水が敷設部材間の空隙から基材に吸収または保水されるので、結露水が敷設部材の表面に残留しにくく、容器の底部に対して、より貼り付きにくい。【００１７】  請求項３記載のコースターによれば、請求項１または２記載の効果に加えて、敷設部材をスパンコールとすることで、コースターを安価でかつ容易に形成できるだけでなく、コースター全体の厚みを抑制でき、かつ、配色や見栄えも自在にデザインできる等、デザイン性に優れる。【００１８】  請求項４記載のコースターによれば、請求項３記載の効果に加えて、スパンコールである敷設部材を縫い付けた基材の敷設部材と反対側を被覆部材によって覆うことで、敷設部材の縫い付け糸が基材の敷設部材と反対側に露出することを防止して、テーブル等の上に載置したときの安定感を得ることができるとともに、見栄えをより向上できる。
【図面の簡単な説明】
【００１９】
【図１】本発明のコースターの一実施の形態を示し、（ａ）はその平面図、（ｂ）はその一部を拡大して模式的に示す断面図である。
【発明を実施するための形態】
【００２０】  以下、本発明のコースターの一実施の形態を、図１を参照して説明する。
【００２１】  図１（ａ）及び図１（ｂ）において、１はコースターであり、このコースター１は、例えば飲食店舗や家庭の食卓等において、飲料を入れたコップ等の容器２の下敷きとして用いられるものである。
【００２２】  そして、このコースター１は、平板状の基材５と、この基材５に固定された複数の敷設部材としてのスパンコール６と、基材５のスパンコール６と反対側を覆う被覆部材７とを備え、全体として薄板状となっている。
【００２３】  基材５は、例えばフェルト等の、吸水性（保水性）を有する柔軟な部材によって円形等の形状に形成されており、平面状の平面部すなわち一主面である表面５ａと、平面状の他主面である裏面５ｂとを有している。
【００２４】  スパンコール６は、衣類等に一般的に用いられる服飾資材であり、例えば合成樹脂、あるいは金属等の、吸水性を有しない撥水性の材質により、円形あるいは多角形状で、薄板（薄膜）状の小片に形成されている。これらスパンコール６は、基材５よりも厚みが小さく、かつ、基材５よりも硬く形成されており、中央部に穴部６ａが貫通され、この穴部６ａを通して固定部材である縫い付け糸９を介して基材５に縫い付けられている。また、これらスパンコール６は、互いに隣接するもの同士の一部が順次重なり合って鱗状に列をなすように配置され、基材５の表面５ａ全体を覆って面状に広がり容器２の底部（底面）２ａを支持する支持部１１を構成している。したがって、各スパンコール６は、順次傾斜状に重なって配置されている。このとき、スパンコール６は、互いの穴部６ａを全て覆わないように（互いの穴部６ａの少なくとも一部を露出させるように）重なり合って配置されることが好ましい。なお、本実施の形態では、スパンコール６は全て同一形状のものとしたが、個々の大きさや色等は、コースター１の所望のデザインに応じて任意に選択できる。また、図１（ａ）においては、説明をより明確にするために、スパンコール６を一部のみ図示し、他を省略している。
【００２５】  縫い付け糸９は、例えばテグス等の、透明で細いものが好適に用いられる。この縫い付け糸９は、例えば上糸９ａと下糸９ｂとが絡んで構成されている。なお、この縫い付け糸９は、図１（ａ）においては、スパンコール６等をより明確に示すために省略している。
【００２６】  被覆部材７は、いわばコースター１の裏地となるもので、例えば基材５と略同一の外郭を有する形状、本実施の形態では円形等の形状に形成されている。この被覆部材７としては、例えば布や不織布等の薄板（薄膜）状のものが用いられる。
【００２７】  そして、上記のコースター１を製造する際には、まず、予め用意した基材５の表面５ａに対してスパンコール６を縫い付け糸９によって所望のデザインとなるように縫い付ける。このとき、ミシン等を用いることで、スパンコール６は容易に縫い付けることが可能である。
【００２８】  次いで、スパンコール６を縫い付けた基材５の裏面５ｂに、被覆部材７を接着固定する。このとき、被覆部材７として接着芯地を用いることで、熱したアイロン等によって基材５の裏面５ｂに対して容易に接着固定できる。
【００２９】  このように製造したコースター１は、図１（ｂ）に示すように、支持部１１上に容器２を載置したとき、互いに順次重なり合って配置されたスパンコール６がそれぞれ容器２の底部２ａに対して全面接触せず、僅かな空隙１５を介してそれぞれ傾斜状に部分接触する。スパンコール６は容器２及びその内部の飲料の重みによって撓んでも、互いに重なり合っているため空隙１５は維持される。したがって、底部２ａに結露水が付着していても、また、経時的に結露水が増加しても、スパンコール６がこの底部２ａに密着しにくく、この底部２ａに貼り付きにくい。この結果、容器２の底部２ａに貼り付きにくい特殊な素材等を支持部に用いる場合と比較して、安価かつ軽量にコースター１を製造できる。また、このコースター１は、裏側をテーブル等に吸着させないので、逐一テーブル等から剥ぎ取る等の作業を伴うことなく容易に位置を変える（ずらす）ことができ、使い勝手が良好であるとともに、テーブル表面に凹凸があっても使用に支障をきたしにくい。特に、飲食店舗では、複数の料理を注文した場合、それら料理用の皿が時間差を持って順次テーブル等に運ばれてくるため、皿の大きさや形状、数に応じて都度コースター１（及び容器２）の位置をテーブル等の上の空いたスペースへと容易に変えられることは大きな利点となる。
【００３０】  また、容器２から垂れ落ちた結露水は、傾斜したスパンコール６に沿って、これらスパンコール６の間の空隙１５またはスパンコール６自体の穴部６ａから基材５へと流れる。このとき、基材５が吸水性または保水性を有しているため、スパンコール６の間の空隙１５あるいは穴部６ａから流れた結露水が基材５に吸収または保水されるので、結露水がスパンコール６の表面に残留しにくく、容器２の底部２ａに対して、コースター１がより貼り付きにくい。
【００３１】  さらに、容器２の底部２ａを支持する支持部１１を、撥水性を有するスパンコール６によって形成するので、コースター１を安価でかつ容易に形成できるだけでなく、コースター１全体の厚みを抑制でき、かつ、スパンコール６の形状や色を任意に選択することで、配色や見栄えも自在にデザインできる等、デザイン性に優れる。しかも、スパンコール６は、ミシンを用いて基材５に容易に縫い付け固定でき、コースター１をより容易に製造できる。このとき、スパンコール６の縫い付け糸９として透明なテグスを用いることにより、各スパンコール６を基材５に対して強固に固定しながら、縫い付け糸９によってデザインを損なうことがない。
【００３２】  そして、スパンコール６を表面５ａに縫い付けた基材５の裏面５ｂを被覆部材７によって覆うことで、スパンコール６の縫い付け糸９が基材５の裏面５ｂ側に露出することを防止して、テーブル等の上に載置したときの安定感を得ることができるとともに、見栄えをより向上できる。
【００３３】  しかも、上記コースター１は、服飾資材（合成樹脂と布類）を主材としているため、安価で、かつ、数ｇ程度と軽量に構成することができる。
【００３４】  なお、上記一実施の形態において、支持部１１を基材５の両面に設けて、両面使用できるようにしてもよい。この場合には、例えば表面５ａ側と裏面５ｂ側とでスパンコール６の色や形状、配置等を変えることで、よりデザイン性を向上してもよい。
【００３５】  また、基材５の表面５ａ全体を支持部１１とするだけでなく、基材５の表面５ａの一部のみに支持部１１を形成してもよい。
【００３６】  さらに、敷設部材としては、スパンコール６だけでなく、撥水性の薄板状の任意の部材を用いることができる。
【符号の説明】
【００３７】１    コースター
２    容器
２ａ  底部
５    基材
５ａ  平面部である表面
６    敷設部材としてのスパンコール
７    被覆部材
１１  支持部
【図１】
2016174884.tif 000003